(57)【要約】【課題】片手で操作でき、使い勝手の良い化粧品ケースを得る。【解決手段】筒体４８及び筒体５６に装着されたスプリング５４は、蓋体１６が開放された状態で、自然状態となるように取付けられるため、蓋体１６を閉止させるとき、筒体５６を介して、スプリング５４が圧縮される方向へ捩られ、弾性力が蓄積された状態となる。このため、釦部２６を押圧し、爪部７６が釦部２６から係止解除されると、スプリング３８の付勢力（復元力）により、筒体５６が回転し、該筒体５６を介して、蓋体１６が自動的に開放方向へ回動することとなる。このように、釦部２６への押圧力によって蓋体１６のロック状態を解除させるため、化粧剤の使用時に、釦部２６を押圧するだけで、スプリング５４によって自動的に蓋体１６が開放されるため、操作が簡単であると共に、片手で操作でき、使い勝手が良い。【選択図】図３
2007195899.tif 000002
【特許請求の範囲】
【請求項１】
化粧剤が収容される収容部が凹設されたパレットと、
前記パレットを開閉する蓋体と、
前記パレット側に設けられた第１筒体と、
前記蓋体側に設けられ、前記第１筒体へ挿入され軸周りに回転して摺動する第２筒体と、
一端部が前記第１筒体に装着され、他端部が前記第２筒体に装着されて、前記蓋体を開放させる方向へ第２筒体を付勢するスプリングと、
前記蓋体が閉止された状態で前記蓋体をロックし、押圧力によって蓋体のロック状態を解除するロック手段と、
前記ロック手段によるロック状態が解除されたとき、前記蓋体を所定位置で停止させるストッパーと、
を有することを特徴とする化粧品ケース。
【請求項２】
前記ロック手段が、
前記蓋体の自由端側に設けられた爪部と、
前記パレット側に揺動可能に設けられ、前記爪部を係止又は係止解除する釦部と、
前記釦部を付勢し、前記爪部を係止した状態に釦部の姿勢を維持させるばね部材と、
を含んで構成されたことを特徴とする請求項１に記載の化粧品ケース。
【請求項３】
前記ロック手段が、
前記蓋体の自由端側に設けられた係止爪と、
前記パレット側に設けられ、前記係止爪を係止又は係止解除する被係止爪と、
前記パレット側に揺動可能に設けられた釦部と、
前記釦部に設けられ、釦部を押圧すると、前記蓋体の自由端部を押し上げ前記係止爪を前記被係止爪から係止解除させ、蓋体を閉じ係止爪が被係止爪に係止されるとき、蓋体の自由端部に当接して押し下げられる当接部と、
を含んで構成されたことを特徴とする請求項１に記載の化粧品ケース。
【請求項４】
前記当接部には前記係止爪との干渉を回避する凹部が形成されたことを特徴とする請求項３に記載の化粧品ケース。
【発明の詳細な説明】
【技術分野】
【０００１】
本発明は、例えばファンデーション等の化粧剤を収容するコンパクト状の化粧品ケースに関するものである。
【背景技術】
【０００２】
ファンデーション等の化粧剤を収容するコンパクト状の化粧品ケースは、ファンデーション等を収容する本体部と、ヒンジ部を中心に本体部に対して開閉可能に設けられた蓋体と、で構成されており、蓋体が閉止された状態で蓋体は本体部に対してロックされた状態となる。そして、ロック状態を解除すると、蓋体が開放可能となり、本体部に収容されたファンデーション等が使用可能となる。
【０００３】
例えば、特許文献１では、本体側と蓋側にそれぞれ突起部を設け、蓋体側の突起部が本体側の突起部の下部に位置した状態（係合された状態）で、蓋体が閉止される。この状態から、蓋体を開放させるときは、本体側では下方向への外力を作用させ、蓋体側では上方向の外力を作用させると共に、本体側と蓋体側とで左右方向への捩り力を作用させる。これにより、本体側と蓋側の突起部同士の係合状態が解除される。
【０００４】
しかしながら、蓋体を開放させる場合には、一方の手で本体側に下方向への外力を作用させ、他方の手で蓋体側に上方向への外力を作用させなければならず、両手が塞がってしまうこととなる。
【特許文献１】特許２００３−２８９９３６号公報
【発明の開示】
【発明が解決しようとする課題】
【０００５】
本発明は上記事実を考慮し、片手で操作でき、使い勝手の良い化粧品ケースを提供することを課題とする。
【課題を解決するための手段】
【０００６】
請求項１に記載の発明は、化粧品ケースにおいて、化粧剤が収容される収容部が凹設されたパレットと、前記パレットを開閉する蓋体と、前記パレット側に設けられた第１筒体と、前記蓋体側に設けられ、前記第１筒体へ挿入され軸周りに回転して摺動する第２筒体と、一端部が前記第１筒体に装着され、他端部が前記第２筒体に装着されて、前記蓋体を開放させる方向へ第２筒体を付勢するスプリングと、前記蓋体が閉止された状態で前記蓋体をロックし、押圧力によって蓋体のロック状態を解除するロック手段と、前記ロック手段によるロック状態が解除されたとき、前記蓋体を所定位置で停止させるストッパーと、を有することを特徴とする。
【０００７】
請求項１に記載の発明では、化粧剤が収容される収容部が凹設されたパレットが、蓋体によって開閉される。パレット側には第１筒体を設けており、蓋体側には第２筒体を設けている。この第２筒体を第１筒体へ挿入し、軸周りに回転して摺動可能としている。そして、第１筒体にはスプリングの一端部を装着し、第２筒体にはスプリングの他端部を装着して、蓋体を開放させる方向へ第２筒体を付勢するようにしている。
【０００８】
一方、蓋体が閉止された状態で蓋体をロックし、押圧力によって蓋体のロック状態を解除するロック手段を設けており、ロック手段によるロック状態が解除されると、スプリングによって、第２筒体を介して蓋体が開放されることとなるが、ストッパーによって、蓋体を所定位置で停止させる。
【０００９】
このように、押圧力によって蓋体のロック状態を解除させるため、化粧剤の使用時に、ロック手段を押圧するだけで、スプリングによって自動的に蓋体が開放されることとなり、操作が簡単であると共に、片手で操作でき、使い勝手が良い。
【００１０】
また、蓋体が開放されると、蓋体と一緒に第２筒体が第１筒体に対して回転することとなるが、第２筒体を第１筒体の軸周りに回転して摺動させることで、第２筒体の回転時に第１筒体との摺動抵抗が得られることとなる。このため、スプリングによる付勢力が減衰され、蓋体を静かに開放させることができる。これにより、化粧品ケースに高級感を与えることができる。
【００１１】
請求項２に記載の発明は、請求項１に記載の化粧品ケースにおいて、前記ロック手段が、前記蓋体の自由端側に設けられた爪部と、前記パレット側に揺動可能に設けられ、前記爪部を係止又は係止解除する釦部と、前記釦部を付勢し、前記爪部を係止した状態に釦部の姿勢を維持させるばね部材と、を含んで構成されたことを特徴とする。
【００１２】
請求項２に記載の発明では、蓋体の自由端側には爪部を設けている。一方、パレット側には、該爪部を係止可能とする釦部を揺動可能に設けている。この釦部は、ばね部材によって付勢されており、釦部を押圧して揺動させて爪部と釦部の係止状態を解除させるときに、該ばね部材は圧縮され、釦部の押圧力を解除すると、ばね部材の付勢力によって爪部を係止した状態に釦部の姿勢を維持させる。
【００１３】
請求項３に記載の発明は、請求項１に記載の化粧品ケースにおいて、前記ロック手段が、前記蓋体の自由端側に設けられた係止爪と、前記パレット側に設けられ、前記係止爪を係止又は係止解除する被係止爪と、前記パレット側に揺動可能に設けられた釦部と、前記釦部に設けられ、釦部を押圧すると、前記蓋体の自由端部を押し上げ前記係止爪を前記被係止爪から係止解除させ、蓋体を閉じ係止爪が被係止爪に係止されるとき、蓋体の自由端部に当接して押し下げられる当接部と、を含んで構成されたことを特徴とする。
【００１４】
請求項３に記載の発明では、蓋体の自由端側に係止爪を設けている。一方、パレット側には、該係止爪を係止又は係止解除する被係止爪を設けている。また、パレット側には、釦部を揺動可能に設けている。この釦部には当接部を設けており、釦部を押圧すると、該当接部には蓋体の自由端側に当接し、蓋体の自由端部を押し上げ、係止爪を被係止爪から係止解除させる。
【００１５】
そして、蓋体を閉じ係止爪が被係止爪に係止されるとき、蓋体の自由端部が当接部に当接して該当接部を押し下げ、倒れた状態の釦部を起立させる。つまり、このような構成では、ばね部材を無くすことができる。これにより、部品点数を削減することができ、コストダウンを図ることができる。
【００１６】
請求項４に記載の発明は、請求項３に記載の化粧品ケースにおいて、前記当接部には前記係止爪との干渉を回避する凹部が形成されたことを特徴とする。
【００１７】
請求項４に記載の発明では、当接部には、係止爪との干渉を回避する凹部を形成し、該凹部内に係止爪が挿通する。
【発明の効果】
【００１８】
本発明は、上記構成としたので、化粧剤の使用時に、ロック手段を押圧するだけで、スプリングによって自動的に蓋体が開放されるため、操作が簡単であると共に、片手で操作でき、使い勝手が良い。
【発明を実施するための最良の形態】
【００１９】
次に、本発明の実施形態に係る化粧品ケースについて説明する。
【００２０】
図１〜図３に示すように、化粧品ケース１０は、ファンデーション等の化粧剤を収容する収容部１２を有する略直方体状のパレット１４と、該パレット１４を開閉する蓋体１６と、に大別される。ここで、蓋体１６の内面には、矩形凹部７８が凹設されており、この矩形凹部７８内には矩形状の鏡８０が取付けられている。
【００２１】
パレット１４には、略直方体状の収容部１２Ａ、１２Ｂが凹設されており、収容部１２Ａにはファンデーション等の化粧剤が収容可能となっている。化粧剤は予め箱体内へ収容され着脱可能となっており、収容部１２Ａに形成された矩形穴１８内へピンなどを入れて該箱体を押圧することで取り外しできるようになっている。
【００２２】
一方、収容部１２Ｂは化粧剤を付けるスポンジ材を収容可能としており、収容部１２Ｂの底面には、複数の孔部２０が碁盤目状に形成されている。これにより、収容部１２Ｂ内が外気と連通することとなり、スポンジ材の湿気を防止することができる。
【００２３】
また、収容部１２Ｂの角部（蓋体１６を閉止させた状態で蓋体１６の自由端部と対応する側）には、パレット１４の内壁を切り欠いて台座２２が凹設されている。この台座２２の入口側には一対の軸板２４が立設しており、この軸板２４には略楕円状の釦部２６（ロック手段）が軸支可能となっている。
【００２４】
釦部２６は長手方向の両端部に頂部２６Ａが設けられるように２つの円弧２６Ｂ、２６Ｃを繋げた形状を成しており、上面には、複数の突起部２８が凸設され、上面を触れただけで釦部２６であることが分かるようにしている。
【００２５】
図４（Ａ）、（Ｂ）に示すように、この釦部２６の円弧２６Ｂ側の裏面からは、一対のアーム部３０が垂下しており、アーム部３０の先端部の外面には、軸部３０Ａがそれぞれ形成されている。この軸部３０Ａを軸板２４に形成された軸穴２４Ａに係合させることで、釦部２６が軸部３０Ａを中心に揺動可能となる。
【００２６】
釦部２６を矢印Ａ方向へ揺動させると、釦部２６の裏面がパレット１４の台座２２の内壁面２２Ａに当接し、釦部２６が移動規制される。また、釦部２６の円弧２６Ｃ側の裏面からは、円弧２６Ｃに沿って係止片３２が垂下し、係止片３２の中央先端部には、係止部３２Ａを設けている。
【００２７】
一方、パレット１４の台座２２の内壁面２２Ａの先端部には、突起部３４が形成されており、係止部３２Ａが係止可能となっている。これにより、釦部２６の矢印Ｂ方向への揺動が規制され、矢印Ｂ方向へ釦部２６が揺動しないようにしている。
【００２８】
また、台座２２の奥方には、アーム部３０とアーム部３０の間に位置するように、装着ピン３６が立設している。この装着ピン３６には、ばね部材としてのスプリング３８の一端部が挿通可能となっている。スプリング３８の他端部は、釦部２６の裏面から垂下した装着ピン４０に挿通可能となっており、釦部２６を上方へ向かって付勢している。
【００２９】
このため、釦部２６を押圧すると、スプリング３８が圧縮し、釦部２６は軸部３０Ａを中心に揺動する。そして、釦部２６の押圧力を解除すると、スプリング３８が復元し、係止部３２Ａが突起部３４に係止された状態となり、釦部２６は元の位置に戻る。
【００３０】
ところで、図３に示すように、パレット１４には、釦部２６の反対側（蓋体１６を閉止させた状態で蓋体１６の回転中心と対応する側）の周壁にコ字状の切欠き部４２（ストッパー）が形成されている。この切欠き部４２の対面する面のうち、一方の面４２Ａには軸支穴４４が凹設され、他方の面４２Ｂには矩形穴４６が凹設されている。
【００３１】
矩形穴４６には、図５（Ａ）、（Ｂ）に示すように、第１筒体としての筒体４８（後述する）の底部裏面に凸設して形成された矩形リブ５０が嵌合可能となっており、矩形穴４６に矩形リブ５０を嵌合させた状態で、筒体４８はパレット１４に対して回り止めされる。この筒体４８の底部には、略弓形状の一対の装着リブ５２が凸設されており、スプリング５４の一端部を装着リブ５２と装着リブ５２の間に挿入し装着可能としている。
【００３２】
また、筒体４８には、第２筒体としての筒体５６が外挿可能となっており、周方向に沿って互いに摺動可能な大きさとしている。この筒体５６の底部裏面にも矩形リブ５８が凸設され、また、底部には、略弓形状の一対の装着リブ６０が凸設されており、スプリング５４の他端部を装着リブ６０と装着リブ６０の間に挿入し装着可能としている。
【００３３】
ここで、装着リブ５２及び装着リブ６０にスプリング５４が装着された状態で、筒体４８は筒体５６に内挿された状態となっている。そして、筒体５６は筒体４８よりも軸方向の長さを長くしており、スプリング５４を圧縮して、筒体４８を筒体５６内へ収納することが可能となっている。
【００３４】
一方、図３に示すように、蓋体１６の回転中心側には、切欠き部４２内に収容可能な軸体６２が設けられている。切欠き部４２の矩形穴４６と対面する軸体６２の軸部６４側には、円柱状の凹部６６が凹設されており、凹部６６の奥部には、矩形穴６８が凹設されている。この矩形穴６８に筒体５６の矩形リブ５８が嵌合可能となっており、矩形穴６８に矩形リブ５８を嵌合させた状態で、筒体５６は軸部６４に対して回り止めされ、蓋体１６と一体に回転する。
【００３５】
また、切欠き部４２の軸支穴４４と対面する軸体６２の軸部７０側には、円柱状のピン７２が凸設しており、軸支穴４４に係合可能となっている。筒体５６に筒体４８を内挿し、筒体５６の矩形リブ５８を軸部６４の矩形穴６８に嵌合させた状態で、ピン７２を軸支穴４４に係合させ、軸部６４側を切欠き部４２の矩形穴４６に軸支させる。そして、スプリング５４を圧縮して筒体４８を筒体５６内へ収容させ、筒体４８の矩形リブ５０を切欠き部４２の矩形穴４６へ嵌合させる。
【００３６】
これにより、スプリング５４が復元し、筒体４８が筒体５６から抜け出す方向へ移動する。このため、筒体４８及び筒体５６の全長は長くなり、筒体４８及び筒体５６によって、軸部６４側も軸支されることとなる。
【００３７】
ここで、スプリング５４は、図５（Ｂ）に示すように、蓋体１６が開放された状態で、自然状態となるように取付けられており、蓋体１６を閉止させるとき、蓋体１６と一緒に筒体５６が回転するが、これにより、図５（Ａ）に示すように、スプリング５４が圧縮される方向へ捩られ、弾性力が蓄積された状態となるようにしている。
【００３８】
一方、蓋体１６の自由端側の角部には、釦部２６の外形に合わせて円弧状の切欠き部７４が形成されている。この切欠き部７４の端面には、爪部７６（ロック手段）が凸設されており、図４（Ａ）に示すように、釦部２６に係止可能となっている。
【００３９】
図４（Ｃ）に示すように、爪部７６には上面から基部に架けて徐々に薄肉となるように傾斜面７６Ａが形成されており、爪部７６が釦部２６の円弧２６Ｂに当接し、爪部７６の基部から上面へ行くに従って、図４（Ｂ）に示すように、釦部２６は徐々に爪部７６から離間する方向へ押圧される。
【００４０】
これにより、釦部２６は軸部３０Ａを中心に矢印Ａ方向へ揺動する。そして、図４（Ａ）に示すように、爪部７６の上面が釦部２６を裏面に到達すると、スプリング３８の復元力によって釦部２６は元の位置に戻り、爪部７６を係止した状態に釦部２６の姿勢が維持される。
【００４１】
つまり、爪部７６の上面と釦部２６の下面とが面接触し（爪部７６が釦部２６に係止され）、蓋体１６が閉止された状態となる（図１参照）。なお、この状態で、釦部２６の上面と蓋体１６の上面とが略面一となる。
【００４２】
ところで、パレット１４の切欠き部４２の中央部には、図示しない略Ｔ字状の装着穴が形成されており、該装着穴内には略Ｔ字状の弾性体８２が装着されるようになっている。この弾性体８２には、蓋体１６の軸体６２の中央部に凸設された状態で形成された摺動部８４（ストッパー）が摺動可能となっている。
【００４３】
この摺動部８４が弾性体８２を摺動することで、蓋体１６が開閉するときに、異音が生じないようにしている。そして、この摺動部８４がパレット１４の切欠き部４２の縁部に当接すると、蓋体１６は移動規制され、所定角度開放された状態が維持される。
【００４４】
次に、本発明の実施形態に係る化粧品ケースの作用について説明する。
【００４５】
本形態では、図５（Ｂ）に示すように、筒体４８及び筒体５６に装着されたスプリング５４は、蓋体１６が開放された状態で、自然状態となるように取付けられるため、蓋体１６を閉止させるとき、筒体５６を介して、図５（Ａ）に示すように、スプリング５４が圧縮される方向へ捩られ、弾性力が蓄積された状態となる。
【００４６】
そして、蓋体１６を開放するとき、釦部２６を押圧するが、釦部２６は押圧されると、図４（Ｂ）に示すように、軸部３０Ａを中心に揺動し、これにより、爪部７６が釦部２６から係止解除される。爪部７６が釦部２６から係止解除されると、スプリング３８の付勢力（復元力）により、筒体５６が軸周りに回転し、該筒体５６を介して、蓋体１６が自動的に開放方向へ回動することとなる。
【００４７】
このように、釦部２６への押圧力によって蓋体１６のロック状態を解除させるため、化粧剤の使用時に、釦部２６を押圧するだけで、スプリング５４によって自動的に蓋体１６が開放されるため、操作が簡単であると共に、片手で操作でき、使い勝手が良い。
【００４８】
ところで、本形態では、図３及び図５（Ａ）、（Ｂ）に示すように、パレット１４の切欠き部４２に形成された矩形穴４６には、筒体４８が嵌合されており、筒体５６は筒体４８に対して回転することとなるが、筒体５６と筒体４８は、周方向に沿って互いに摺動可能な大きさとなっている。このため、筒体５６が軸周りを回転するとき、筒体５６の内周面は、筒体４８の外周面を摺動しながら回転することとなる。
【００４９】
このように、蓋体１６を回動させるときに、筒体５６と筒体４８との間で摺動抵抗を得るようにすることで、スプリング５４による付勢力が減衰され、蓋体１６を静かに開放させることができる。これにより、化粧品ケース１０に高級感を与えることができる。
【００５０】
なお、本形態はあくまでも一実施例であり、本発明の主旨を逸脱しない範囲内において適宜変更可能であることは言うまでもない。
【００５１】
例えば、本形態では、釦部２６の裏面側にスプリング３８を配設し、釦部２６を押圧した後、スプリング３８の復元力によって、釦部２６を元の位置に戻すようにしたが、このスプリング３８は必ずしも必要ではない。なお、図４と同じ符号の部材は、同一の機能を有する部材であることを表わす。
【００５２】
具体的には、図６（Ａ）〜（Ｃ）に示すように、釦部２６の円弧２６Ｂ側下端部に、当接片８６を水平に張り出させ、当接片８６の先端中央部には矩形状の挿通部（凹部）８６Ａを切り欠く。ここで、当接片８６を設けることで、釦部２６の円弧２６Ｂ側は円弧２６Ｃ側と比較して肉厚となるが、円弧２６Ｂ側の中央部には、肉盗み部８８を設け、釦部２６の上面がヒケないようにする。
【００５３】
また、収容部１２Ｂと台座２２の境界には、被係止片９０を立設させ、先端部に被係止爪９０Ａを形成する。一方、蓋体１６の切欠き部７４の先端面７４Ａからは係止片９２を垂下させ、係止片９２の先端部には、被係止爪９０Ａに係止可能な係止爪９２Ａを形成する。この係止片９２は挿通部８６Ａを挿通可能な幅としており、係止片９２を挿通部８６Ａへ挿通させた状態で、切欠き部７４の先端面７４Ａを当接片８６に当接させるようにする。
【００５４】
以上のような構成により、図６（Ａ）に示すように、係止片９２を挿通部８６Ａへ挿通し、切欠き部７４の先端面７４Ａを当接片８６に当接させた状態で、被係止片９０の被係止爪９０Ａには係止片９２の係止爪９２Ａが係止され、蓋体１６が閉止される。
【００５５】
この状態から、釦部２６を押圧すると、図６（Ｂ）に示すように、釦部２６は軸部３０Ａを中心に回動し、当接片８６によって切欠き部７４の先端面７４Ａが上方へ向かって押圧される。これにより、蓋体１６の自由端部が押し上げられ、係止爪９２Ａが被係止爪９０Ａに係止された状態が解除され、スプリング５４の付勢力によって蓋体１６は開放方向へ回動するが、釦部２６は倒れた状態のまま保持される。
【００５６】
そして、蓋体１６を閉止させるとき、係止片９２を挿通部８６Ａへ挿通し、切欠き部７４の先端面７４Ａが当接片８６に当接し、当接片８６が押し下げられると、釦部２６が元の状態に戻され、被係止爪９０Ａに係止爪９２Ａが係止されて、蓋体１６が閉止される。
【００５７】
このような構成では、スプリング３８を使用しないため、部品点数を削減することができ、コストダウンを図ることができる。
【００５８】
また、本形態では、釦部２６をパレット１４の角部に配置したが、パレット１４の中央部に配置しても良いのは勿論のことである。また、ここでは、筒体４８と筒体５６を互いに摺動させるようにしたが、筒体４８或いは筒体５６の外周面の表面粗さを、筒体４８或いは筒体５６の周方向で変えて、蓋体１６の回動角度に応じて、摺動抵抗を変えるようにしても良い。これにより、蓋体１６の開放スピードを回動に応じて変えることができる。
【図面の簡単な説明】
【００５９】
【図１】本発明の実施の形態に係る化粧品ケースの蓋体が閉止された状態を示す斜視図である。
【図２】本発明の実施の形態に係る化粧品ケースの蓋体が開放された状態を示す斜視図である。
【図３】本発明の実施の形態に係る化粧品ケースの分解斜視図である。
【図４】本発明の実施の形態に係る化粧品ケースのパレットの係止状態を示す断面図であり、（Ａ）はパレットが閉止された状態を示し、（Ｂ）は釦部が揺動した状態を示している。（Ｃ）はパレットの係止状態が解除された状態を示している。
【図５】本発明の実施の形態に係る化粧品ケースの蓋体の軸部の状態を示す断面図であり、（Ａ）はパレットが閉止された状態を示し、（Ｂ）はパレットが開放された状態を示している。
【図６】本発明の実施の形態に係る化粧品ケースの変形例を示す断面図であり、（Ａ）はパレットが閉止された状態を示し、（Ｂ）は釦部が揺動した状態を示している。（Ｃ）はパレットの係止状態が解除された状態を示している。
【符号の説明】
【００６０】
１０ 化粧品ケース
１２ 収容部
１４ パレット
１６ 蓋体
２６ 釦部（ロック手段）
３８ スプリング（ばね部材）
４２ 切欠き部（ストッパー）
４８ 筒体（第１筒体）
５４ スプリング
５６ 筒体（第２筒体）
７６ 爪部（ロック手段）
８４ 摺動部（ストッパー）
８６      当接片（当接部）
８６Ａ    挿通部（凹部）
９０Ａ    被係止爪（ロック手段）
９２Ａ    係止爪（ロック手段）
【図１】
2007195899.tif 000003
【図２】
2007195899.tif 000004
【図３】
2007195899.tif 000005
【図４】
2007195899.tif 000006
【図５】
2007195899.tif 000007
【図６】
2007195899.tif 000008